(57)【要約】      （修正有）【課題】植物育成カプセル内の水分量を一瞥して判断することができ、潅水を適時に行うことができるばかりでなく外観意匠に優れた携帯型植物育成カプセルを提供する。【解決手段】携帯型植物育成カプセル１のカプセル本体２を、透光性を有するプラスチック製の中空円錐形状のエアカプセル２ａと、椀状のウォーターカプセル２ｄと、同じく椀状で、ウォーターカプセル２ｄに内装可能な大きさにされたソイルカプセル２ｃを介して嵌合連結し、全体的にティアドロップ形状の外観意匠を呈すように構成する。また、カプセル本体２内には、水量指標板としてのチェックリングを収納し、ストッパーリング２ｂにより固定する。ウォーターカプセル２ｄに水を貯溜し、ソイルカプセル２ｃに育成土壌を封入し、その中に育成する植物Ｐの種子を播種し、その上にチェックリングを載置し、エアカプセル２ａを被せて携行可能とする。【選択図】図１
0003142950.tif 000002
【実用新案登録請求の範囲】
【請求項１】
透光性を有する中空カプセル内に植物の種子又は植物及びその生育に必要な水分と栄養素を有する育成土壌を封入し、該中空カプセルの一端部に携行品に着脱を行う連結部材を備えると共に、前記育成土壌上に載置される環状の水量指標板を同封したことを特徴とする携帯型植物育成カプセル。
【請求項２】
水量指標板が水発色インキによる印刷が施された吸水性紙であることを特徴とする請求項１記載の携帯型植物育成カプセル。
【請求項３】
カプセル載置用の台座リングを備えたことを特徴とする請求項１又は請求項２記載の携帯型植物育成カプセル。
【考案の詳細な説明】
【技術分野】
【０００１】
本考案は、携帯電話やバッグ等の携行品にアクセサリー様に取り付けたり、ブローチやペンダントトップ等の装飾品としても好適な植物育成カプセルに関し、とくに種子からの育苗が可能な携帯型植物育成カプセルに関するものである。
【背景技術】
【０００２】
例えば、携帯電話は現在広く普及しており、使用者の趣味を反映した装飾的目的で様々なアクセサリーを取付けることが行われている。すなわち、マスコットキャラクター等を取付けたストラップが一般化している。
【０００３】
このように、従来は携帯電話やバッグ等の携行品に取付けるアクセサリーに対して様々なデザインを採用したり、多様なキャラクターを採用してはいたが、その構成部材が経時的に成長変化するようなものはなかった。
【０００４】
すなわち、日常的に携行する携帯電話やバッグ等に取付けるアクセサリーあるいは装飾品として、育成中の植物などを携帯するといったことは想定できないものであった。そこで、透光性を有する中空カプセル内に植物の種及びその生育に必要な水分と栄養素を封入し、該中空カプセルの一端部に携帯電話等に対する着脱を行う連結部材を備えさせストラップとして利用できるようにした植物育成カプセルを付けた携帯電話等用ストラップが提案されている（例えば、特許文献１参照。）。
【０００５】
しかしながら、上記従来の技術は、単にカプセル内に植物の種及びその生育に必要な水分と栄養素を封入しただけの構成にすぎないため、水分量の変化を正確に観察するのが困難で、適時に水を与えることが判断し難いという問題があった。そこで、本出願人は上記のような従来技術における課題を解決すべく、植物育成カプセル内の水分量を一瞥して判断することができ、育成土壌への水分補給を適時に行うことができる携帯型植物育成カプセルを提案している（特許文献２参照。）。
【０００６】
【特許文献１】実用新案登録第３０８３７１６号公報
【特許文献２】実用新案登録第３１３９１４５号公報
【考案の開示】
【考案が解決しようとする課題】
【０００７】
本考案もまた上記従来の技術の課題に鑑み、植物育成カプセル内の水分量を一瞥して判断することができ、潅水を適時に行うことができるばかりでなく外観意匠に優れた携帯型植物育成カプセルを提供することを目的とするものである。
【課題を解決するための手段】
【０００８】
そこで、本考案の携帯型植物育成カプセルは、透光性を有する中空カプセル内に植物の種子又は植物及びその生育に必要な水分と栄養素を有する育成土壌を封入し、該中空カプセルの一端部に携行品に着脱を行う連結部材を備えると共に、前記育成土壌上に載置される環状の水量指標板を同封したことを第１の特徴とし、水量指標板が水発色インキによる印刷が施された吸水性紙であることを第２の特徴とする。
【考案の効果】
【０００９】
本考案によれば、以下の優れた効果がある。
（１）日常的に、生きた植物の成長過程を観察するといった楽しみを得られる。
（２）中空カプセル内に水量指標板を同封したことにより、育成土壌の正確な水分量を一瞥して判断することができ、潅水を適時に行うことができる。
（３）カプセル載置用の台座リングを備えたことにより、ティアドロップ型のカプセルを安定して載置することができる。
【考案を実施するための最良の形態】
【００１０】
本考案に係る実施形態を図面に示す実施例に従って詳述する。図１及び図２は本考案に係る携帯型植物育成カプセルの正面図、図３は本考案に係るカプセル本体の分解斜視図、図４は本考案に係る携帯型植物育成カプセルの各部材を収納ボックスへ収納した状態を示す平面図、図５は本考案に係る携帯型植物育成カプセルの商品パッケージを示す斜視図である。
【実施例】
【００１１】
図１乃至図３に示すように、本考案に係る携帯型植物育成カプセル１は、カプセル本体２を、透光性を有するプラスチック製の中空円錐形状のエアカプセル２ａと、椀状のウォーターカプセル２ｄと、同じく椀状で、ウォーターカプセル２ｄに内装可能な大きさにされたソイルカプセル２ｃを介して嵌合連結し、全体的にティアドロップ形状の外観意匠を呈すように構成されている。また、カプセル本体２内には、後述する水量指標板５としてのチェックリング５が収納され、ストッパーリング２ｂにより固定できるようにされている。すなわち、ウォーターカプセル２ｄに水を貯溜し、ソイルカプセル２ｃに育成する植物Ｐの発芽や成長に必要な水分や栄養分をあらかじめ含ませた育成土壌３を封入し、その中に育成する植物Ｐの種子Ｓを播種し、その上にチェックリング５を載置するようにされている。
【００１２】
エアカプセル２ａの頂部には携帯電話やバッグ等の日常携行品に取り付けるための連結部材（金属製のリング）６ａを取付け、この連結部材６ａに各種紐部材６、例えば、携帯電話用ストラップ、ネックレス用のバチカン等を連結する。本実施例ではフック６ｂを有する携帯電話用ストラップを採用した。また、エアカプセル２ａの頂部近傍には通気孔Ｈが、ソイルカプセル２ｃの底部には土壌への給水を確保するための複数の通水孔４が設けられている。さらに、育成土壌３の表面に接触するように、水量指標板５として、吸水性紙に水発色インキを用いて印刷された印刷面を有する環状のチックリング５（ウォーターチェック：商品名：朋友印刷株式会社製）がカプセル本体２内に封入されている。
【００１３】
ここで使用する水発色インキは、水に濡れると色が変わる特殊なインキで、例えば、育成土壌３の水分の有無で、例えば、薄い緑色から濃い薄緑色に変化する性質を有する。このインキで印刷された印刷面を持つ吸水紙を環状に裁断して、本考案の水量指標板５として使用するものである。この水量指標板５を同封することにより、カプセル本体２内の正確な水分量を一瞥して判断することができ、育成土壌３への潅水を適時に行うことができる。
【００１４】
そして、携帯電話やバッグ等に連結した状態で本考案の携帯型植物育成カプセル１は持ち歩かれることになり、その間適度な光が植物育成カプセル２に注がれ、通常の場合、光合成は十分に行われることになる。尚、育成土壌３としては、例えば、軽い多孔質資材の腐植客土（泥炭を主成分とする客土）を使用するのが好ましい。
【００１５】
腐植客土は、特殊な化学処理と微生物処理を施したものを用い、化学処理では泥炭中の有害物質を除去し、微生物処理では微生物溶剤を混合する。腐植客土は、高い吸水率とイオン交換率を示し保水性と保肥力に優れ、酸塩基に対し緩衝作用を有している。また、腐植客土は長期間土壌の性質が変性し難く、栽培床が硬く締まることもない。そのため、植物の根張りが良好になり、栽培に適した保水力、透水性、保肥性、通気性を良好に確保できる。尚、本実施例では、ルーフソイル（商品名：株式会社マサキ・エンヴェック製）を使用した。
【００１６】
植物育成カプセル２内に入れる植物の種類としては、カプセル２内で生育することができ、観賞性にも優れた小型のものを選択するのが望ましいが、必ずしも種子状態から生育させるものでなく、適当に成長した状態のものをカプセル２内に封入して製品としてもよい。例えば、サボテンなどの多肉植物等を封入するものでも良い。
【００１７】
また、ピーマン、スイートバジル、キャベツ、ミニトマト等の野菜類を種子から育苗し、ある程度成長したらカプセル２から取り出して、別途、植生ポット等に植え替えし、そのまま野菜や果実等が収穫できるまで生育を続けるようにしても良い。
【００１８】
図４乃至図５に本考案の携帯型植物育成カプセル１の商品パッケージを示す。図３に示すように、長方形状の収納ボックス（中箱）９に、カプセル本体２、チェックリング５、ストラップ６、スプーン７、台座リング８、種子Ｓが収容された袋、育成土壌３が収容された袋の各部材を各々の部材輪郭の凹所内に収納し、この収納ボックス９をスリーブボックス（外箱）１０に、説明書（リーフレット）１１を内装した状態で挿入して商品パッケージとする。台座リング８は、不携帯時のカプセル載置用として使用するが、ピンキーリング（指輪）としても楽しむこともできる。通常は、フック６ｂにクリップ６ｃで留めて携帯型植物育成カプセル１と一緒に携行する。
【００１９】
本考案の組み立て方法について説明する。
まず、収納ボックス９からエアカプセル２ａ、ウォーターカプセル２ｄ、ソイルカプセル２ｃ、チェックリング５、チェックリングストッパー２ｂを外す。次いで、ソイルカプセル２ｃに付属のスプーン７を用いて育成土壌３を入れ、ウォーターカプセルに水を貯留する。次いで、ウォーターカプセル２ｄをソイルカプセル２ｃに装着する。次いで、カプセルを手で押さえながら、スプーン７の持ち手部分を使用して土と水が馴染むまで攪拌する。次いで、スプーン７の持ち手部分を使って、土を数ミリ掘り、種子Ｓを播種する（１〜２粒が目安）。次いで、チェックリングをセットする。育成土壌３を入れたソイルカプセル２ｃの上にそっと載置すると、チェックリング５が土壌の水分に反応して濃いグリーンに変化する。次いで、チェックリングストッパー２ｂをセットし、最後にエアカプセル２ａをソイルカプセル２ｃの上部に嵌合する。
【００２０】
尚、播種後の水やりについては、チェックリング５の色が元の薄いグリーンに戻ることで、土の表面が乾いてきた指標となるので、この変化を視認して適時潅水する。潅水方法は、一旦、ウォーターカプセル２ｄを外して半分くらい水を入れ、再度ソイルカプセル２ｃに装着し、暫く放置することで、ソイルカプセル２ｃ底面の通水孔４から育成土壌３が自然に水を吸い上げる。
【図面の簡単な説明】
【００２１】
【図１】本考案に係る携帯型植物育成カプセルの正面図である。
【図２】本考案に係る携帯型植物育成カプセルの正面図である。
【図３】本考案に係るカプセル本体の分解斜視図である。
【図４】本考案に係る携帯型植物育成カプセルの各部材を収納ボックスへ収納した状態を示す平面図である。
【図５】本考案に係る携帯型植物育成カプセルの商品パッケージを示す斜視図。
【符号の説明】
【００２２】
１    携帯型植物育成カプセル
２    カプセル本体
２ａ  中空カプセル（エアカプセル）
２ｂ  ストッパーリング
２ｃ  ソイルカプセル
２ｄ  ウォーターカプセル
３    育成土壌
４    通水孔
５    チェックリング（水量指標板）
６    紐部材（ストラップ）
６ａ  連結部材（金属リング）
６ｂ  フック
６ｃ  クリップ
７    スプーン
８    台座リング（ピンキーリング）
９    収納ボックス（中箱）
１０  スリーブボックス（外箱）
１１  リーフレット
Ｓ    種子
Ｐ    植物
Ｈ    通気孔
【図１】
0003142950.tif 000003
【図２】
0003142950.tif 000004
【図３】
0003142950.tif 000005
【図４】
0003142950.tif 000006
【図５】
0003142950.tif 000007